(57)【要約】【課題】バスバーとの接続に伴って端子金具やハウジングに負荷がかかることを防ぐ。【解決手段】本発明は、ケース体３の装着孔３４に差し込まれ、キャビティ１２１を有するハウジング１２と、一端側にケース体３の内部に配設されたバスバー３２に接続されるバスバー接続部１１１を有し、他端側にシールドケーブル２の端末に接続されるケーブル接続部１１２を有し、ケーブル接続部１１２がキャビティ１２１の内部に収容された端子金具１１と、端子金具１１の長手方向における移動を規制する係止孔１１６、係止突部１３８、およびゴム栓１４と、ハウジング１２におけるバスバー接続部１１１側に装着されたカバー１３とを備えた機器用コネクタ１であって、カバー１３は、バスバー接続部１１１を遊動可能に支持する支持孔１３６を備えているところに特徴を有する。【選択図】図１
2009272133.tif 000002
【特許請求の範囲】
【請求項１】
インバータやモータなどの機器を覆うケース体の内部と外部を貫通して設けた装着孔に差し込まれ、その装着孔を通じて前記ケース体の内部と外部とを連通させるキャビティを有するハウジングと、
一端側に前記ケース体の内部に配設されたバスバーに接続されるバスバー接続部を有し、他端側にケーブルの端末に接続されるケーブル接続部を有し、前記ケーブル接続部が前記キャビティの内部に収容された端子金具と、
前記端子金具の長手方向における移動を規制する係止手段と、
前記ハウジングにおける前記バスバー接続部側に装着されたフロントハウジングとを備えた機器用コネクタであって、
前記フロントハウジングは、前記バスバー接続部を遊動可能に支持する支持孔を備えていることを特徴とする機器用コネクタ。
【請求項２】
前記フロントハウジングは、前記支持孔から突出した前記バスバー接続部の側方に配置された側壁を備えている請求項１に記載の機器用コネクタ。
【請求項３】
前記フロントハウジングは、前記側壁の一部を肉厚に形成することにより補強用のリブを備えている請求項２に記載の機器用コネクタ。
【請求項４】
前記係止手段は、前記バスバー接続部もしくは前記フロントハウジングのいずれか一方に設けられた突部と、同他方に設けられ前記突部と係止する凹部とを備えている請求項１ないし請求項３のいずれか一項に記載の機器用コネクタ。
【請求項５】
前記係止手段は、前記ケーブルの外周面と前記キャビティの内壁との間に装着されたゴム栓を備えている請求項４に記載の機器用コネクタ。
【発明の詳細な説明】
【技術分野】
【０００１】
本発明は、機器用コネクタに関する。
【背景技術】
【０００２】
従来、電気自動車やハイブリッド自動車などに搭載されるモータやインバータなどの機器間を接続するシールドケーブルの端末には、機器用コネクタが使用されている。例えば、下記特許文献１に記載の機器用コネクタは、機器を収容するケース体の外面に設けた装着孔に差し込まれることにより装着されている。また、機器用コネクタは、複数の端子金具をハウジングと一体にモールド成形することによって形成されている。このハウジングは、端子金具の側方に配置された側壁を備えている。
【０００３】
一方、ケース体の内部には、装着孔に装着された機器用コネクタの端子金具と接続されるバスバーが配設されている。端子金具は、ボルト止めなどの固定方法によってバスバーに強固に接続されるようになっている。また、バスバー側には、側壁との干渉を回避する逃がし部が凹設されている。このため、側壁が逃がし部内に進入することで、機器用コネクタを装着孔に挿入する際の案内がなされる。
【特許文献１】特開２００６−３１９６２公報
【発明の開示】
【発明が解決しようとする課題】
【０００４】
しかしながら、上記の機器用コネクタは、端子金具がモールド成形されているため、例えば、バスバー側の位置精度が悪いにもかかわらず、ボルト止めなどによって無理に締め込むと、端子金具やハウジングに負荷がかかるおそれがある。  
【０００５】
本発明は上記のような事情に基づいて完成されたものであって、バスバーとの接続に伴って端子金具やハウジングに負荷がかかることを防ぐことを目的とする。
【課題を解決するための手段】
【０００６】
本発明は、インバータやモータなどの機器を覆うケース体の内部と外部を貫通して設けた装着孔に差し込まれ、その装着孔を通じてケース体の内部と外部とを連通させるキャビティを有するハウジングと、一端側にケース体の内部に配設されたバスバーに接続されるバスバー接続部を有し、他端側にケーブルの端末に接続されるケーブル接続部を有し、ケーブル接続部がキャビティの内部に収容された端子金具と、端子金具の長手方向における移動を規制する係止手段と、ハウジングにおけるバスバー接続部側に装着されたフロントハウジングとを備えた機器用コネクタであって、フロントハウジングは、バスバー接続部を遊動可能に支持する支持孔を備えている構成としたところに特徴を有する。
【０００７】
このような構成によると、係止手段によって端子金具の長手方向における移動を規制しつつ、支持孔によってバスバー接続部を支持することにより、端子金具をハウジングに取り付けることができる。ここで、バスバー接続部は、支持孔によって遊動可能に支持されているから、バスバーの位置に合わせてバスバー接続部の位置を調整することができ、バスバーとの接続に伴って端子金具やハウジングに負荷がかかることを防ぐことができる。
【０００８】
本発明の実施の態様として、以下の構成が好ましい。
フロントハウジングは、支持孔から突出したバスバー接続部の側方に配置された側壁を備えている構成としてもよい。
このような構成によると、機器用コネクタを運搬するときに、バスバー接続部を側壁によって保護することができる。
【０００９】
フロントハウジングは、側壁の一部を肉厚に形成することにより補強用のリブを備えている構成としてもよい。
このような構成によると、リブによって側壁を補強することができる。
【００１０】
係止手段は、バスバー接続部もしくはフロントハウジングのいずれか一方に設けられた突部と、同他方に設けられ突部と係止する凹部とを備えている構成としてもよい。
このような構成によると、突部と凹部を係止させることにより端子金具の長手方向における移動を規制することができる。
【００１１】
係止手段は、ケーブルの外周面とキャビティの内壁との間に装着されたゴム栓を備えている構成としてもよい。
このような構成によると、ケーブルの外周面とキャビティの内壁との双方にゴム栓を密着させてケーブルの移動を規制し、もって端子金具の長手方向における移動を規制することができる。
【発明の効果】
【００１２】
本発明によれば、バスバーとの接続に伴って端子金具やハウジングに負荷がかかることを防ぐことができる。
【発明を実施するための最良の形態】
【００１３】
＜実施形態１＞
本発明の実施形態１を図１ないし図１１の図面を参照しながら説明する。本実施形態の機器用コネクタ１は、図示しない機器（例えば、電気自動車やハイブリッド自動車などに搭載されたモータやインバータなど）に電力を供給するシールドケーブル（本発明の「ケーブル」の一例）２の端末に接続されている。
【００１４】
機器とシールドケーブル２との接続構造は、図１に示すように、機器用コネクタ１、シールドケーブル２、機器を収容するケース体３、シールドケーブル２の端末からケース体３の外面までの間をシールドするシールドブラケット４などを備えている。なお、シールドケーブル２は、銅線からなる芯線２１を有し、芯線２１の外周側には、絶縁体を介して筒状の編組線からなるシールド体２２が被せられている。
【００１５】
ケース体３の上面には、ケース体３の内部と外部とを貫通する取付孔３１が形成されている。ケース体３の内部には、一端側が機器に接続された３本のバスバー３２が配設され、これらのバスバー３２の他端側には、端子台３３が形成されている。端子台３３は、板厚方向に貫通する貫通孔３３Ａを備えている。貫通孔３３Ａの軸心は、取付孔３１の軸心とほぼ一致するようになっている。
【００１６】
取付孔３１には、取付孔３１から貫通孔３３Ａまでの距離より長めに形成された長尺ボルト５が装着され、ケース体３の外部から貫通孔３３Ａに長尺ボルト５を締め込むことができるようになっている。
【００１７】
具体的には、長尺ボルト５は、ボルト５１と、ボルト５１の先端側に固着したナット５２と、筒状をなす樹脂製のストッパ５３とを備えている。ストッパ５３は、ボルト５１の頭部とナット５２との間に配置され、取付孔３１の開口縁部にケース体３の外部側から係止する張り出し部５３１を備えている。また、ストッパ５３とボルト５１の頭部との間には、コイルバネ５４が圧縮状態で装着されている。このため、ボルト５１の締め込むことでナット５２を締め込み、端子金具１１を端子台３３に固定することができる。なお、ボルト５１を締め込んだ状態では、ボルト５１とケース体３とを絶縁するため、ボルト５１の頭部とストッパ５３との間に最低１ｍｍ以上の隙間が設けられている。
【００１８】
また、ケース体３の上面には、取付孔３１とは別に、ケース体３の内部と外部とを貫通する装着孔３４が形成されている。装着孔３４の内部には、機器用コネクタ１が装着可能となっており、装着孔３４の軸心は、取付孔３１の軸心に対して鋭角をなして斜め方向に設定されている。
【００１９】
機器用コネクタ１は、図７または図８に示すように、幅方向に長い横長形状をなすハウジング１２を有し、このハウジング１２には、シールドケーブル２の端末に接続された端子金具１１が装着されている。ハウジング１２は、図１０に示すように、幅方向に並んで配置された３つのキャビティ１２１を備えた筒状をなし、ハウジング１２におけるシールドケーブル２側には、図１に示すように、キャビティ１２１の内壁とシールドケーブル２の外周面との双方に密着してこれらの間をシールするゴム栓１４およびゴム栓１４の抜止を行うバックリテーナ１５が装着されている。なお、ゴム栓１４およびバックリテーナ１５は本発明の「係止手段」の一例である。
【００２０】
また、ハウジング１２の外周面においてキャビティ１２１の軸線方向略中央には、フランジ部１２３が外側に張り出して設けられており、このフランジ部１２３が装着孔３４の開口縁部に当接することで、ハウジング１２の装着孔３４への挿入方向における位置決めがなされる。
【００２１】
端子金具１１は、図１に示すように、全体として前後方向に長い形態をなし、金属平板を打ち抜きおよび折り曲げすることにより形成され、前端側（一端側）に設けられた板状のバスバー接続部１１１と、後端側（他端側）に設けられたオープンバレル状のケーブル接続部１１２とを一体に備えた構成である。
【００２２】
バスバー接続部１１１は、先端側をやや内側に折り曲げることによって形成された接続面１１３を備えている。この接続面１１３には、板厚方向に貫通する貫通孔１１４が設けられている。ハウジング１２が装着孔３４に差し込まれて機器用コネクタ１がケース体３に装着された状態では、バスバー接続部１１１の貫通孔１１４は、端子台３３の貫通孔３３Ａとほぼ同軸上に配置されるようになっている。また、バスバー接続部１１１において接続面１１３とケーブル接続部１１２とを接続している支持部１１５には、板厚方向に貫通する係止孔（本発明の「凹部」の一例）１１６が設けられている。
【００２３】
ケーブル接続部１１２は一対のかしめ片を有し、両かしめ片でシールドケーブル２の芯線２１に抱きつかせるようにかしめ変形させることにより、芯線２１とケーブル接続部１１２とが導通可能に圧着接続されている。この圧着状態では、ケーブル接続部１１２は、全体として略円筒形をなしている。
【００２４】
機器用コネクタ１は、ハウジング１２がケース体３の装着孔３４に差し込まれることによってケース体３に装着される。この装着状態では、キャビティ１２１は、装着孔３４を通じてケース体３の内部と外部を連通するように構成されている。キャビティ１２１の内部には、端子金具１１のケーブル接続部１１２が収容されている。このため、シールドケーブル２は、ゴム栓１４およびバックリテーナ１５を通ってキャビティ１２１の内部からケース体３の外部へ引き出されている。
【００２５】
機器用コネクタ１において装着孔３４からケース体３の外部の露出した部分には、シールドブラケット４が装着されるようになっている。シールドブラケット４は、図７および図８に示すように、幅方向両側に一対のボルト挿通孔４１を有している。シールドブラケット４が装着されるケース体３の外面には、ボルト挿通孔４１と対応してボルト孔（図示せず）が設けられている。このため、ボルトをボルト挿通孔４１に挿通させてケース体３のボルト孔に締め込むことによってシールドブラケット４がケース体３の外面に固定され、これに伴って機器用コネクタ１がケース体３に固定される。
【００２６】
なお、ハウジング１２の外周面においてシールドケーブル２側の端部には、図７または図９に示すように、シールドブラケット４の開口縁部に係止する抜止突部１２４が設けられている。これにより、シールドブラケット４とハウジング１２とを組み付けた状態に保持することができる。また、ハウジング１２の外周面において抜止突部１２４の側方には、抜止突部１２４とシールドブラケット４の開口縁部との係止を解除する際に、治具などを挿入する解除凹部１２５が凹設されている。
【００２７】
シールドブラケット４の外周面には、シールドケーブル２のシールド体２２が一括して覆われており、さらにシールド体２２の外側には、金属製のかしめリング６がかしめ付けによって固定されている。このため、シールド体２２は、シールドブラケット４を通じてケース体３の外面に接続され、シールドケーブル２の端末からケース体３の外面に至るまでの間をシールドすることができる。
【００２８】
次に、カバー１３の構造について説明する。カバー１３は、本発明でいう「フロントハウジング」の一例であって、ハウジング１２におけるバスバー接続部１１１側に装着されており、機器用コネクタ１の搬送中にバスバー接続部１１１を保護したり、各バスバー接続部１１１間を絶縁する部材である。本実施形態においては、カバー１３を機器用コネクタ１に装着した状態で搬送した後、機器用コネクタ１は、カバー１３を装着した状態のままケース体３に取り付けられるようになっている。
【００２９】
カバー１３は、キャビティ１２１の開口を覆っている本体部１３１と、本体部１３１からハウジング１２の外周面に沿って突出する形態をなす外筒部１３２と、本体部１３１から各キャビティ１２１の内周面に沿って突出する形態をなす内筒部１３３と、本体部１３１からケース体３の内部側に突出して各バスバー接続部１１１の幅方向両側に配置された側壁１３４とを備えている。
【００３０】
外筒部１３２は、図１０に示すように、ハウジング１２の外周面を全周に亘って覆っている。また、外筒部１３２によって、図１に示すように、ハウジング１２の外周面に装着されたゴムリング１６の抜止がなされている。
【００３１】
一方、内筒部１３３は、図１０に示すように、キャビティ１２１の内周面のうちバスバー接続部１１１の幅方向両側と上下両側を除く位置に設けられている。キャビティ１２１の内周面における上下両側には、内側に突出する一対の係止部１２２が設けられており、内筒部１３３の上下両側には、両係止部１２２とそれぞれ係止可能な一対の被係止部１３５が設けられている。これにより、カバー１３は、両係止部１２２と両被係止部１３５とが互いに係止することでハウジング１２におけるバスバー接続部１１１側に抜止状態で保持されている。
【００３２】
本体部１３１には、各バスバー接続部１１１をキャビティ１２１の内部からケース体３の内部へ挿通させる支持孔１３６が形成されている。この支持孔１３６の外形は、バスバー接続部１１１の外形より一回り大きく形成されているため、バスバー接続部１１１を遊動可能に支持することができる。したがって、支持孔１３６により端子金具１１におけるバスバー接続部１１１が支持され、ゴム栓１４およびバックリテーナ１５によって端子金具１１におけるシールドケーブル２側が支持されることで、端子金具１１全体がハウジング１２に装着されている。
【００３３】
また、本体部１３１において支持孔１３６の周縁部には、図１１に示すように、本体部１３１から立ち上がる支持受け部１３７が形成されており、この支持受け部１３７には、支持部１１５の係止孔１１６に嵌合する係止突部（本発明の「突部」の一例）１３８が突出して形成されている。これにより、端子金具１１は、図５に示すように、係止突部１３８と係止孔１１６とが互いに係止することで支持受け部１３７の平面方向（図７における紙面に沿う方向）へ移動することが規制され、カバー１３に保持される。つまり、バスバー接続部１１１は、支持受け部１３７に接近しまたは離れる方向への移動が許容され、これに伴って端子台３３の位置に合わせて接続面１１３の位置を調整することが可能となっている。なお、係止孔１１６および係止突部１３８は本発明の「係止手段」の一例である。
【００３４】
特に、本実施形態のシールドケーブル２は断面積が太く撓みにくくなっているため、シールドケーブル２がゴム栓１４によって支持されることにより、係止突部１３８と係止孔１１６との係止状態を確実に保持することができる。したがって、端子金具１１の長手方向両端が支持孔１３６を支点としてシーソー状に動くことによって、係止突部１３８が係止孔１１６から外れてしまうおそれがなく、端子金具１１の長手方向における移動を確実に規制することができる。
【００３５】
側壁１３４は、図９に示すように、隣り合うバスバー接続部１１１間に配置された一対の仕切壁１３４１と、両仕切壁１３４１の幅方向両側に配置された一対の外壁１３４２とを備えている。仕切壁１３４１は、隣り合うバスバー接続部１１１を仕切ることができる大きさに設定されている。一方、外壁１３４２は、仕切壁１３４１よりも板厚が大きめに設定され、バスバー接続部１１１の先端部分を幅方向外側に臨ませる大きさに設定されている。
【００３６】
仕切壁１３４１の幅方向両側および外壁１３４２の幅方向内側には、補強用のリブ１３９が一体に形成されている。これにより、仕切壁１３４１および外壁１３４２が外力によって容易に変形することを防ぐことができる。
【００３７】
本実施形態は以上のような構造であって、続いてその組み付け方法を図２ないし図６の図面を参照しながら説明する。まず、図２に示すように、シールド体２２をシールドブラケット４の外周に被せてかしめリング６をかしめ付けることによってシールド体２２をシールドブラケット４に組み付けておく。次に、絶縁体によって覆われた芯線２１をシールド体２２に通し、さらに、絶縁体によって覆われた芯線２１に対してバックリテーナ１５、ゴム栓１４、ハウジング１２の順で通す。この後、絶縁体を剥いで芯線２１を露出させ、図３に示すように、芯線２１を端子金具１１のケーブル接続部１１２にかしめ付ける。さらに、ゴムリング１６をハウジング１２の外周に嵌着する。
【００３８】
次に、バスバー接続部１１１の先端をカバー１３の支持孔１３６を差し込み、支持受け部１３７の係止突部１３８を支持部１１５の係止孔１１６に嵌合することによって図４の状態とする。この状態では、支持部１１５が支持受け部１３７によって支持され、端子金具１１がカバー１３と一体に組み付けられている。
【００３９】
次に、図５に示すように、ゴム栓１４を芯線２１の外周面とキャビティ１２１の内周面との間に装着し、ゴム栓１４の後方からバックリテーナ１５を装着して、ゴム栓１４の抜止を行う。これと併行して、端子金具１１およびカバー１３をハウジング１２に差し込み、外筒部１３２をハウジング１２の外周面に沿わせるとともに、内筒部１３３の外周面をキャビティ１２１の内周面に沿わせるようにして挿入し、係止部１２２と被係止部１３５とを互いに係止させる。これにより、機器用コネクタ１の組み立てが完了する。
【００４０】
次に、図６に示すように、機器用コネクタ１のバスバー接続部１１１をカバー１３ごと装着孔３４の内部に挿入し、フランジ部１２３を装着孔３４の開口縁部に当接させることによって機器用コネクタ１を所定の装着位置に配置する。そして、シールドブラケット４のボルト挿通孔４１を通じてケース体３のボルト孔にボルトを挿入し締め込むことによってシールドブラケット４をケース体３の外面に固定し、これに伴って機器用コネクタ１がケース体３に固定される。このとき、バスバー接続部１１１の貫通孔１１４と端子台３３の貫通孔３３Ａとはほぼ同軸上に配置される。
【００４１】
ここで、バスバー接続部１１１の接続面１１３と端子台３３とが芯ずれしていても、バスバー接続部１１１は支持孔１３６によって遊動可能に支持されているため、機器用コネクタ１に負荷を与えることなくバスバー接続部１１１の接続面１１３と端子台３３とを確実に接触させることができる。最後に、取付孔３１を通じて長尺ボルト５の締め込みを行い、バスバー接続部１１１と端子台３３とを導通可能に接続し、固定することができる（図１状態）。
【００４２】
以上のように本実施形態では、ケーブル接続部１１２に接続されたシールドケーブル２の端末がゴム栓１４によって支持されるとともに、バスバー接続部１１１が支持孔１３６によって支持されることにより、端子金具１１をハウジング１２に取り付けることができる。ここで、バスバー接続部１１１は、支持孔１３６によって遊動可能に支持されているから、端子台３３の位置に合わせてバスバー接続部１１１の位置を調整することができ、端子台３３との接続に伴って端子金具１１やハウジング１２に負荷がかかることを防ぐことができる。
【００４３】
また、機器用コネクタ１のカバー１３を装着することで、機器用コネクタ１の搬送中に機器用コネクタ１を保護することができる。このカバー１３は、機器用コネクタ１に装着された状態のまま、装着孔３４の内部に挿入することができ、バスバー接続部１１１をそのまま端子台３３に接続することができるため、カバー１３を廃棄しなくてもよい。また、バスバー接続部１１１の幅方向両側に設置された側壁１３４によってバスバー接続部１１１間を確実に絶縁することができ、側壁１３４をリブ１３９で補強したから、側壁１３４に外力などが加わって変形することを防ぐことができる。
【００４４】
＜他の実施形態＞
本発明は上記記述及び図面によって説明した実施形態に限定されるものではなく、例えば次のような実施形態も本発明の技術的範囲に含まれる。
（１）本実施形態ではカバー１３の支持受け部１３７に係止突部１３８を設けてバスバー接続部１１１の支持部１１５の係止孔１１６に嵌合させているものの、本発明によると、別部品のピンで係止孔１１６に嵌合させてもよい。
【００４５】
（２）本実施形態ではケーブルとして芯線２１にシールド体２２が一体で構成されたシールドケーブル２を例示しているものの、本発明によると、ケーブルとして芯線２１のみで構成してもよい。
【００４６】
（３）本実施形態ではカバー１３に側壁１３４を設けているものの、本発明によると、側壁１３４を設けなくてもよい。
【００４７】
（４）本実施形態ではカバー１３にリブ１３９を設けているものの、本発明によると、リブ１３９を設けなくてもよい。
【００４８】
（５）本実施形態では係止手段として係止孔１６に係止する係止突部１３８と、ゴム栓１４とを例示しているものの、本発明によると、ゴム栓１４がない構成としてもよい。また、バスバー接続部１１１の支持部１１５側に係止突部を設け、支持受け部１３７側に係止孔を設けてもよい。
【図面の簡単な説明】
【００４９】
【図１】機器用コネクタをケース体に取り付け固定し、バスバー接続部を端子台に接続した状態を示した断面図
【図２】絶縁体に覆われた芯線をシールド体に挿入した状態を示した断面図
【図３】絶縁体を剥いで芯線をケーブル接続部にかしめ付けた状態を示した断面図
【図４】端子金具にカバーを装着した状態を示した断面図
【図５】機器用コネクタの組み付けが完了した状態を示した断面図
【図６】機器用コネクタをケース体に取り付け固定し、バスバー接続部を端子台に接続する前の状態を示した断面図
【図７】機器用コネクタの平面図
【図８】機器用コネクタの正面図
【図９】機器用コネクタの側面図
【図１０】図７におけるＡ−Ａ線断面図
【図１１】カバーを側方から見た断面図
【符号の説明】
【００５０】
１…機器用コネクタ
１１…端子金具
１１１…バスバー接続部
１１２…ケーブル接続部
１１６…係止孔（凹部）
１２…ハウジング
１２１…キャビティ
１３…カバー（フロントハウジング）
１３４…側壁
１３６…支持孔
１３８…係止突部（突部）
１４…ゴム栓（係止手段）
２…シールドケーブル（ケーブル）
３…ケース体
３２…バスバー
３３…端子台
３４…装着孔
【図１】
2009272133.tif 000003
【図２】
2009272133.tif 000004
【図３】
2009272133.tif 000005
【図４】
2009272133.tif 000006
【図５】
2009272133.tif 000007
【図６】
2009272133.tif 000008
【図７】
2009272133.tif 000009
【図８】
2009272133.tif 000010
【図９】
2009272133.tif 000011
【図１０】
2009272133.tif 000012
【図１１】
2009272133.tif 000013